(57)【要約】【課題】強風時においても、基礎部材と外壁部材との間に形成された通気路へ雨水が入り込むことを、効率的に抑制することのできる外壁換気構造を提供する。【解決手段】外壁換気構造は、外壁部材（１０）における第１の壁材（１１）と第２の壁材（１２）との間に形成される第１の通気路（３１）と、基礎部材（１）と外壁部材（１０）との間に形成される第２の通気路（３２）と、外気取入口（２１）を有する換気部材（２０）とを備える。また、外壁換気構造は、外壁部材（１０）近傍の風速が所定値以上になったときに、外気取入口か（２１）ら取入れた外気を第１通気経路（４１）を経由して第１の通気路（３１）に優先的に送り込み、第２の通気路（３２）まで至る第２の通気経路（４２）内の空気を第１通気経路（４１）側に向かわせる負圧を発生させる負圧発生構造を備える。【選択図】図５
2014139375.tif 000002
【特許請求の範囲】
【請求項１】
建物の基礎部材と、
前記基礎部材上に間隔をあけて取付けられるものであって、外部空間側に配置される第１の壁材および内部空間側に配置される第２の壁材を含む外壁部材と、
前記第１の壁材と前記第２の壁材との間に形成される第１の通気路と、
前記基礎部材と前記外壁部材との間に形成される第２の通気路と、
前記外壁部材の下端部と前記基礎部材との間に取付けられるものであって、外気を取入れる外気取入口と、前記外気取入口から前記第１の通気路にまで至る第１通気経路と、前記外気取入口から前記第２の通気路にまで至る第２通気経路とを有する換気部材と、
前記外壁部材近傍の風速が所定値以上になったときに、前記外気取入口から取入れた外気を前記第１通気経路を経由して前記第１の通気路に優先的に送り込み、前記第２の通気経路内の空気を前記第１通気経路側に向かわせる負圧を発生させる負圧発生構造とを備える、外壁換気構造。
【請求項２】
前記負圧発生構造は、前記第２の通気路の入口開口面積を、前記第１の通気路の入口開口面積よりも小さくすることを含む、請求項１に記載の外壁換気構造。
【請求項３】
前記負圧発生構造は、前記外気取入口から前記第１の通気路まで至る前記第１通気経路をほぼ直線的な主経路とし、前記外気取入口から前記第２の通気路まで至る前記第２通気経路を側方に分岐する分岐経路とすることを含む、請求項１または２に記載の外壁換気構造。
【請求項４】
前記負圧発生構造は、前記第２通気経路を経由して前記第２の通気路に入り込む流路抵抗を、前記第１通気経路を経由して前記第１の通気路に入り込む流路抵抗よりも大きくすることを含む、請求項１〜３のいずれかに記載の外壁換気構造。
【請求項５】
前記負圧発生構造は、前記第２通気経路への外気の流れに対して抵抗を与える衝立壁を含む、請求項１〜４のいずれかに記載の外壁換気構造。
【請求項６】
前記負圧発生構造は、少なくとも風速１５ｍ／ｓのときに負圧を発生している、請求項１〜５のいずれかに記載の外壁換気構造。
【発明の詳細な説明】
【技術分野】
【０００１】
本発明は、外壁換気構造に関し、特に、異なる２つの通気路に外気を送り込む換気部材を備えた外壁換気構造に関する。
【背景技術】
【０００２】
床下等の換気を目的として、換気部材が、外壁部材の下端に沿って配置された建物が存在する。外壁部材内に通気路が形成されている場合、換気部材は、当該通気路と床下へ続く通気路との両方に外気を送り込む。
【０００３】
このような換気部材においては、雨水が床下に入り込まないようにするために、外気を下方から取入れる外気取入口が採用されている。しかしながら、外気を下方から取入れるようにするだけでは、台風などの強風時においては、外気取入口から雨水を含んだ外気が入り込み、床下に雨水が侵入してしまうことがある。
【０００４】
このような問題に対処するために、特開２００８−６３８３９号公報（特許文献１）では、通風用開口部（外気取入口）と床下換気口とをつなぐ通路部に、通風を許容しながら雨水の通過を抑制する立体網状材または立体多孔質材が設けられた通気防水構造が提案されている。
【先行技術文献】
【特許文献】
【０００５】
【特許文献１】特開２００８−６３８３９号公報
【発明の概要】
【発明が解決しようとする課題】
【０００６】
特許文献１の通気防水構造では、立体網状材または立体多孔質材にて雨水を捕獲するため、台風などの強風時においても床下への雨水の侵入を抑制することができる。
【０００７】
しかしながら、このような従来の構造においては、換気部材に、立体網状材等の別部品を取付けなければ、基礎部材と外壁部材との間に形成された通気路に雨水が入り込むことを抑制することはできない。
【０００８】
本発明は、上記のような課題を解決するためになされたものであって、その目的は、強風時においても、基礎部材と外壁部材との間に形成された通気路へ雨水が入り込むことを、効率的に抑制することのできる外壁換気構造を提供することである。
【課題を解決するための手段】
【０００９】
この発明のある局面に従う外壁換気構造は、建物の基礎部材と、外壁部材と、第１の通気路と、第２の通気路と、換気部材と、負圧発生構造とを備える。外壁部材は、基礎部材上に間隔をあけて取付けられるものであって、外部空間側に配置される第１の壁材および内部空間側に配置される第２の壁材を含む。第１の通気路は、第１の壁材と第２の壁材との間に形成される。第２の通気路は、基礎部材と外壁部材との間に形成される。換気部材は、外壁部材の下端部と基礎部材との間に取付けられるものであって、外気を取入れる外気取入口と、外気取入口から第１の通気路にまで至る第１通気経路と、外気取入口から第２の通気路にまで至る第２通気経路とを有する。負圧発生構造は、外壁部材近傍の風速が所定値以上になったときに、外気取入口から取入れた外気を第１通気経路を経由して第１の通気路に優先的に送り込み、第２の通気経路内の空気を第１通気経路側に向かわせる負圧を発生させる。
【００１０】
好ましくは、負圧発生構造は、第２の通気路の入口開口面積を、第１の通気路の入口開口面積よりも小さくすることを含む。
【００１１】
好ましくは、負圧発生構造は、外気取入口から第１の通気路まで至る第１通気経路をほぼ直線的な主経路とし、外気取入口から第２の通気路まで至る第２通気経路を側方に分岐する分岐経路とすることを含む。
【００１２】
好ましくは、負圧発生構造は、第２通気経路を経由して第２の通気路に入り込む流路抵抗を、第１通気経路を経由して第１の通気路に入り込む流路抵抗よりも大きくすることを含む。
【００１３】
好ましくは、負圧発生構造は、第２通気経路への外気の流れに対して抵抗を与える衝立壁を含む。
【００１４】
好ましくは、負圧発生構造は、少なくとも風速１５ｍ／ｓのときに負圧を発生している。
【発明の効果】
【００１５】
本発明によれば、外壁部材近傍の風速が所定値以上となったときに、基礎部材と外壁部材との間に形成された第２の通気路側には負圧が発生する。その場合、第２の通気路への外気の流入自体が抑制されるため、第２の通気路への雨水の侵入を効率的に抑制することができる。
【図面の簡単な説明】
【００１６】
【図１】本発明の実施の形態１に係る外壁換気構造を示す断面図である。
【図２】本発明の実施の形態１に係る外壁換気構造における外気の流れを部分的に示す図である。
【図３】本発明の実施の形態１における換気部材の形状を示す斜視図である。
【図４】図３のＩＶ−ＩＶ線で切断した場合の換気部材の断面図である。
【図５】本発明の実施の形態１に係る外壁換気構造における、強風時の空気の流れを示す図である。
【図６】本発明の実施の形態２に係る外壁換気構造を示す断面図である。
【図７】本発明の実施の形態２における換気部材の構成を示す斜視図である。
【図８】図７のＶＩＩＩ−ＶＩＩＩ線で切断した場合の換気部材の断面図である。
【図９】本発明の実施の形態２に係る外壁換気構造における、強風時の空気の流れを示す図である。
【図１０】本発明の実施の形態３に係る外壁換気構造を示す図である。
【図１１】公知の外壁換気構造の一例を示す断面図である。
【図１２】図１１に示した外壁換気構造における、強風時の空気の流れを示す図である。
【発明を実施するための形態】
【００１７】
本発明の実施の形態について図面を参照しながら詳細に説明する。なお、図中同一または相当部分には同一符号を付してその説明は繰返さない。
【００１８】
本実施の形態に係る外壁換気構造の説明に先立ち、外壁部材の下端部と基礎部材との間に取付けられ、異なる２つの通気路に外気を送り込む換気部材を備えた公知の外壁換気構造について簡単に説明する。なお、本実施の形態において、「基礎部材」とは、建築用語上の「基礎」に限定されず、外壁部材の下部または周辺において空間を有して存在する部材をいう。
【００１９】
図１１は、公知の外壁換気構造の一例を示す断面図である。図１２は、図１１に示した外壁換気構造における、強風時の空気の流れを示す図である。
【００２０】
図１１に示した外壁換気構造は、基礎部材１と、基礎部材１上に間隔をあけて取付けられる外壁パネル１０と、外壁パネル１０の下端部と基礎部材１との間に取付けられる換気部材１２０とを備えている。外壁パネル１０には、外部空間側から、第１の壁材１１、第２の壁材１２、および、断熱材１４が含まれる。断熱材１４は、パネルフレーム１５内に配置されている。
【００２１】
外壁パネル１０の第１の壁材１１と第２の壁材１２との間には、防湿のために第１の通気路３１が形成されている。また、パネルフレーム１５の下端面と基礎部材１の上端面との間に、複数の土台（図示せず）が間隔をおいて配置されることによって、基礎部材１と外壁パネル１０との間に、床下へ続く第２の通気路３２が形成されている。
【００２２】
図１１に示されるような公知例の外壁換気構造では、第２の通気路３２の入口寸法Ｌ１０２は、第１の通気路３１の入口寸法Ｌ１０１以上とされている。つまり、第１の通気路３１の入口開口面積よりも、第２の通気路３２の入口開口面積の方が大きい。なお、具体的には、寸法Ｌ１０１は、第１の通気路３１の厚み、すなわち、第１の壁材１１と第２の壁材１２との間隔を示している。また、寸法Ｌ１０２は、換気部材１２０における内部空間側の側壁１２２の上端部と、その直上に位置する外壁パネル１０（第２の壁材１２）の下端部との間隔を示している。
【００２３】
換気部材１２０は、第１の通気路３１および第２の通気路３２の両方に外気を送り込む。したがって、換気部材１２０は、下方より外気を取入れる外気取入口１２１と、外気取入口１２１から第１の通気路３１にまで至る第１通気経路１４１と、外気取入口１２１から第２の通気路３２にまで至る第２通気経路１４２とを有している。
【００２４】
このような外壁換気構造では、通常、外気は、矢印Ｆ１０１に示されるような流れで第１の通気路３１および第２の通気路３２の両方に送り込まれる。つまり、外気取入口１２１から取入れられた外気は、一旦、斜め側方方向に曲折し、その後、上方へ向かう第１通気経路１４１と、側方方向へ向かう第２通気経路１４２とに枝分かれする。このように、外気取入口１２１において下方より外気が取入れられるため、通常は、雨水が第１の通気路３１および第２の通気路３２まで達することはない。
【００２５】
ここで、図１２を参照して、このような外壁換気構造を有する建物の付近に、台風並みの強風が吹いたとする。その場合も、強風は、矢印Ｆ１０２に示されるような流れで第１の通気路３１および第２の通気路３２の両方に送り込まれる。つまり、公知例の外壁換気構造では、強風時においても、外気は上記通常時と同様の通気経路をたどる。したがって、強風かつ雨降りの場合には、雨水を含んだ外気が、第１の通気路３１および第２の通気路３２の両方に送り込まれることになる。第１の通気路３１内に雨水が入り込んだとしても、第１の通気路３１の下端から雨水は落下するため、第１の通気路３１に雨水が留まることはない。しかしながら、第２の通気路３２に雨水が入り込んだ場合、雨水が床下に侵入してしまい、床下に雨水が留まる恐れがある。
【００２６】
これに対し、本実施の形態に係る外壁換気構造においては、強風かつ雨降りの場合でも、第２の通気路３２へ雨水が入り込むことが抑制される。以下に、本発明の外壁換気構造の各実施の形態について詳細に説明する。なお、本実施の形態では、風速が所定値以上であるときを「強風時」といい、それ以外を「通常時」というものとする。
【００２７】
＜実施の形態１＞
はじめに、本発明の実施の形態１に係る外壁換気構造について説明する。
【００２８】
図１は、本発明の実施の形態１に係る外壁換気構造を示す断面図である。図２は、本発明の実施の形態１に係る外壁換気構造における外気の流れを部分的に示す図である。なお、図１では、上述の公知例の外壁換気構造と同一または相当する構成については、図１１に示した符号と同じ符号を付してある。
【００２９】
図１を参照して、本実施の形態に係る外壁換気構造は、基礎部材１と、基礎部材１上に間隔をあけて取付けられる外壁パネル１０と、外壁パネル１０の下端部と基礎部材１との間に取付けられる換気部材２０とを備えている。
【００３０】
外壁パネル１０は、たとえば、上記公知例の外壁換気構造と同様に、外部空間側から、第１の壁材１１、第２の壁材１２、および、パネルフレーム１５内に配置される断熱材１４を含む。断熱材１４よりも内部空間側には、柱（図示せず）が配置されている。
【００３１】
この第１の壁材１１と第２の壁材１２の間には、第１の通気路３１が形成されている。図２に示されるように、第１の通気路３１は、第１の壁材１１と第２の壁材１２との間に所定ピッチで配置される複数の縦桟材１３により区切られる空間である。また、基礎部材１と外壁パネル１０との間に、床下へ続く第２の通気路３２が形成されている。
【００３２】
なお、本実施の形態では、第１の通気路３１は、最も外側に配置される第１の壁材１１の裏側に形成されることとしたが、外壁部材に含まれる２つの壁材（面材）の間に形成されていれば、その位置は限定されない。
【００３３】
換気部材２０は、通常時において、第１の通気路３１および第２の通気路３２の両方に外気を送り込む。したがって、換気部材２０は、下方より外気を取入れる外気取入口２１と、外気取入口２１から第１の通気路３１にまで至る第１通気経路４１と、外気取入口２１から第２の通気路３２にまで至る第２通気経路４２とを有している。
【００３４】
換気部材２０の形状について、図３および図４を用いて説明する。
【００３５】
図３は、本発明の実施の形態１における換気部材２０の形状を示す斜視図である。図４は、図３のＩＶ−ＩＶ線で切断した場合の換気部材２０の断面図である。
【００３６】
換気部材２０は、たとえば、図３に示すような換気部品を長手方向に並べることによって形成される。本実施の形態では、換気部材２０の底面２３に、複数の矩形形状の外気取入れ口２１が形成されている。本実施の形態では、外気取入れ口２１はメッシュ材で覆われている。
【００３７】
図３および図４を参照して、換気部材２０は、下端において底面２３と接続され、かつ、上方向に延びる２つの側壁２２，２４を有している。側壁２２の方が、側壁２４よりも高い。側壁２４の上端部分には、対向する側壁２２側へ傾いた傾斜部２４ａが設けられている。側壁２２から下方向に延びるように、取付け面２５が設けられている。取付け面２５の長手方向一端側および他端側にはそれぞれ孔部２５ａが設けられている。図１および図３を参照して、これらの孔部２５ａにビス５１が差し込まれることで、固定金物５０に換気部材２０が取付けられる。固定金物５０は、パネル枠１５の下端に固定されている。
【００３８】
ここで、本実施の形態に係る外壁換気構造は、負圧発生構造を有している。「負圧発生構造」とは、外壁パネル１０近傍の風速が所定値以上になったときに、外気取入口２１から取入れた外気を、第１通気経路４１を経由して第１の通気路３１に優先的に送り込み、第２の通気経路４２内の空気を第１通気経路４１側に向かわせる負圧を発生させる構造をいう。負圧発生構造は、風速１０ｍ／ｓのときに負圧を発生していることが望ましいが、少なくとも風速１５ｍ／ｓのときに負圧を発生していればよい。
【００３９】
具体的には、換気部材２０の配置位置および形状が次のように定められていることで、本実施の形態に係る外壁換気構造が負圧発生構造を有することになる。
【００４０】
すなわち、図１を参照して、外気取入口２１から第１の通気路３１まで至る第１通気経路４１がほぼ直線的な主経路とし、外気取入口２１から第２の通気路３２まで至る第２通気経路４２が側方に分岐する分岐経路となるよう、換気部材２０が配置されている（以下「第１の負圧発生構造」という）。具体的には、図１に示されるように、外気取入口２１が第１の通気路３１のほぼ真下に配置されることで、第１通気経路４１が主経路とされている。これにより、本実施の形態では、通常時において、外気取入口２１から取入れられた外気は、ほぼ直線状に上方に位置する第１通気経路４１に向かい、途中で、第２通気経路４２に分岐する。
【００４１】
なお、本実施の形態では、換気部材２０は、反時計方向に所定角度傾斜させて取付けられている。このとき、図３および４に示した換気部材２０の傾斜部２４ａが、第１の壁材１１の裏面（内部空間側の面）と面接触する。
【００４２】
また、第１の通気路３１の入口開口面積よりも、第２の通気路３２の入口開口面積の方が小さくなるように、換気部材２０が配置されている（以下「第２の負圧発生構造」という）。これにより、第１の通気路３１側へ流れる風量が、第２の通気路３２側へ流れる風量よりも多くなる。具体的には、図１に示した第１の通気路３１の入口寸法Ｌ１よりも第２の通気路３２の入口寸法Ｌ２の方が小さくなるように、換気部材２０が配置されている。本実施の形態では、寸法Ｌ１は、第１の通気路３１の厚み、すなわち、第１の壁材１１と第２の壁材１２との間隔を示しており、寸法Ｌ２は、換気部材２０における内部空間側の側壁２２の上端部と、その直上に位置する外壁パネル１０（第２の壁材１２）の下端部との間隔を示している。なお、第２の通気路３２の入口寸法Ｌ２は、通常時における所定の換気量を確保するための下限値以上とされているものとする。
【００４３】
さらに、第２通気経路４２への外気の流れに対して抵抗を与える衝立壁を兼ねるように、換気部材２０の側壁２２が配置されている（以下「第３の負圧発生構造」という）。つまり、換気部材２０の側壁２２が、第２通気経路４２への外気の流れに対し、角度をもって存在することで、衝立壁としての役割を果たすことができる。なお、本実施の形態では、側壁２２が衝立壁を兼ねる構成としたが、たとえば側壁２２よりも外部空間側に、専用の衝立壁が設けられてもよい。
【００４４】
本実施の形態では、上記第１〜第３の負圧発生構造を採用することで、強風時においても、第２の通気路３２へ雨水が入り込むことを抑制することができる。
【００４５】
図５は、本発明の実施の形態１に係る外壁換気構造における、強風時の空気の流れを示す図である。
【００４６】
図５を参照して、本実施の形態に係る外壁換気構造を有する建物の近傍の天候が、強風かつ雨降りであるとする。その場合、雨水を含んだ強風は、矢印Ｆ２に示されるような流れで、第１通気経路４１を経由して第１の通気路３１に送り込まれる。一方、第２の通気路３２側には負圧が発生されるため、第２通気経路４２内の空気は、矢印Ｆ３に示されるような流れで、第１通気経路４１側に送り込まれる。第１通気経路４１側に送り込まれた第２通気経路４２内の空気は、外気取入口２１から取入れられた外気（雨水を含んだ強風）とともに第１の通気路３１内に引き込まれる。したがって、第２の通気路３２への雨水の流入は阻止される。
【００４７】
なお、強風時においても第２の通気路３２への雨水の流入が阻止されることは、以下に示す防水試験により検証済である。
【００４８】
（防水試験について）
図１および図２に示した外壁換気構造を試験体とし、局所風雨試験機を用いて防水試験を行った。図２において、試験機８０が概念的に示されている。
【００４９】
試験機８０の吹き出し口８１と外壁パネル１０の下端との水平方向の距離は、約１メートルである。散水量は１ｍ２当たり約４リットル／分で、試験時間は１０分である。このような条件の下、風速を１５ｍ／ｓおよび２０ｍ／ｓの２段階として、防水試験を行った。
【００５０】
試験の結果、いずれの風速においても、第２の通気路３２側に負圧が発生したため、第２の通気路３２への水の侵入は見られなかった。また、第２の通気路３２内の粉塵は、第１の通気路３２側へ吹き上げられることが確認された。
【００５１】
上述のように、本実施の形態では、風速が所定値以上となった場合に、第２の通気路３２側に負圧が発生する。そのため、換気部材２０に防水用の別部材を取付けなくても、通常時における第２の通気路３２への換気と、強風時における第２の通気路３２への雨水の流入防止とを効率的に両立することができる。さらに、風速が所定値以上となった場合には、第２の通気路３２へは外気の流入自体が抑制されるため、強風とともに粉塵が第２の通気路３２へ入り込むことも防止することができる。
【００５２】
なお、換気部材２０の形状および配置位置は、図１に示したような例に限定されない。他の形状および配置位置を採用する換気部材を備えた外壁換気構造の例を、実施の形態２として以下に説明する。
【００５３】
＜実施の形態２＞
本発明の実施の形態２に係る外壁換気構造について、実施の形態１と異なる部分のみ詳細に説明する。
【００５４】
図６は、本発明の実施の形態２に係る外壁換気構造を示す断面図である。
【００５５】
図６を参照して、本実施の形態では、実施の形態１における換気部材２０に代えて、換気部材２０Ａが設けられている。その他の構成は、実施の形態１と同様である。
【００５６】
換気部材２０Ａの形状について、図７および図８を用いて説明する。
【００５７】
図７は、本発明の実施の形態２における換気部材２０Ａの構成を示す斜視図である。図８は、図７のＶＩＩＩ−ＶＩＩＩ線で切断した場合の換気部材２０Ａの断面図である。
【００５８】
図７を参照して、本実施の形態における換気部材２０Ａは、底面２３Ａを挟み上方向に延びる側面２２Ａ，２４Ａを含む。本実施の形態では、側面２２Ａに、複数の矩形形状の外気取入口２１が形成されている。側面２２Ａと取付け面２５とは、底面２３Ａと平行な上端面２６によって接続されている。
【００５９】
図６および図７を参照して、本実施の形態においても、取付け面２５の長手方向一端側および他端側に設けられた孔部（図示せず）にビス５１が差し込まれて、固定金物５０Ａに取付けられる。
【００６０】
ここで、本実施の形態においても、換気部材２０Ａの配置位置および形状が次のように定められていることで、外壁換気構造は、上記第１〜第３の負圧発生構造を有している。
【００６１】
すなわち、第１の負圧発生構造として、図６に示されるように、換気部材２０Ａの外気取入口２１が、第２の壁材１２の外部空間側の面のほぼ真下に、縦に配置されている。つまり、図７および図８に示した換気部材２０Ａの底面２３Ａおよび上端面２６が、基礎部材１の上端面と平行となるように取付けられている。これにより、本実施の形態においても、第１通気経路４１が主経路とされている。したがって、図６の矢印Ｆ１１に示されるように、通常時において、外気取入口２１から取入れられた外気は、ほぼ直線状に上方に位置する第１通気経路４１に向かい、途中で、第２通気経路４２に分岐する。
【００６２】
また、第２の負圧発生構造として、図６に示されるように、第１の通気路３１の入口寸法Ｌ１よりも第２の通気路３２の入口寸法Ｌ３の方が小さくなるように、換気部材２０Ａが配置されている。本実施の形態において、寸法Ｌ３は、換気部材２０Ａにおける上端面２６と、その直上に位置する外壁パネル１０（第２の壁材１２）の下端部との間隔を示している。なお、本実施の形態における第２の通気路３２の入口寸法Ｌ３も、通常時における所定の換気量を確保するための下限値以上とされているものとする。
【００６３】
また、第３の負圧発生構造として、第２通気経路４２への外気の流れに対して抵抗を与える衝立壁を兼ねるように、換気部材２０Ａの側壁２２Ａの形状および配置位置とされている。具体的には、図７および図８に示されるように、外気取入口２１は、側壁２２Ａの上側の一部（以下「上側側面」という）を除外して形成されており、当該上側側面が、第２通気経路４２への外気の流れに対し、角度をもって存在することで、衝立壁としての役割を果たすことができる。
【００６４】
本実施の形態でも、上記第１〜第３の負圧発生構造を採用することで、強風時においても、第２の通気路３２へ雨水が入り込むことを抑制することができる。
【００６５】
図９は、本発明の実施の形態２に係る外壁換気構造における、強風時の空気の流れを示す図である。
【００６６】
図９を参照して、本実施の形態に係る外壁換気構造を有する建物の近傍の天候が、強風かつ雨降りであるとする。その場合、実施の形態１と同様に、雨水を含んだ強風は、矢印Ｆ１２に示されるような流れで、第１通気経路４１を経由して第１の通気路３１に送り込まれる。また、第２の通気路３２側には負圧が発生されるため、第２通気経路４２内の空気は、矢印Ｆ１３に示されるような流れで、第１通気経路４１側に送り込まれる。第１通気経路４１側に送り込まれた第２通気経路４２内の空気は、外気取入口２１から取入れられた外気（雨水を含んだ強風）とともに第１の通気路３１内に引き込まれる。したがって、第２の通気路３２への雨水の流入は阻止される。
【００６７】
なお、実施の形態１，２に係る外壁換気構造では、上記第１〜第３の負圧発生構造を採用した。しかしながら、これらの全てを採用する必要はなく、少なくとも風速１０ｍ／ｓのときに第２の通気路３２側に負圧が発生していれば、これらのうちいずれか１つだけを採用してもよい。
【００６８】
また、上記第１〜第３の負圧発生構造に限定されず、さらに他の負圧発生構造を採用してもよい。たとえば、第２通気経路４２を経由して第２の通気路３２に入り込む流路抵抗を、第１通気経路４１を経由して第１の通気路３１に入り込む流路抵抗よりも大きくすることとしてもよい。具体的には、第２の通気路３２の入口付近、すなわち、図１および図６にそれぞれ寸法Ｌ２，Ｌ３で示される隙間の全体または一部分に、メッシュ材等を配置してもよい。
【００６９】
また、上記実施の形態１，２においては、第２の通気路３２は、建物の床下へ続く床下換気口であるとして説明したが、換気を必要とし、かつ、雨水の流入を阻止すべき箇所であれば、他の箇所であってもよい。たとえば、外壁換気構造は、建物のバルコニー部分にも適用可能である。この場合の外壁換気構造の例について、実施の形態３として以下に説明する。
【００７０】
＜実施の形態３＞
本発明の実施の形態３に係る外壁換気構造について、実施の形態１と異なる部分のみ詳細に説明する。
【００７１】
図１０は、本発明の実施の形態３に係る外壁換気構造を示す図である。図１０には、強風時における空気の流れが、矢印Ｆ２２，Ｆ２３で示されている。
【００７２】
図１０を参照して、本実施の形態では、実施の形態１における外壁パネル１０および換気部材２０に代えて、それぞれ、外壁パネル１０Ａおよび換気部材２０Ｂが設けられている。
【００７３】
外壁パネル１０Ａは、実施の形態１と同様に、外部空間側から、第１の壁材１１、第２の壁材１２、および、断熱材１４が配置されているが、第２の壁材１２の背面側（内部空間側）の下端部には、切欠き部１２ａが設けられている。なお、本実施の形態では、断熱材１４は、第１の壁材１１および第２の壁材１２よりも下方方向に長い。また、本実施の形態では、外壁パネル１０Ａの一部（第１の壁材１１および第２の壁材１２を含む部分）が、バルコニーの基礎部材２上に間隔をあけて配置されている。
【００７４】
基礎部材２の露出面には、防水シート３等が貼り付けられる。防水シート３は、断熱材１４の外部空間側の面にも貼り付けられている。なお、本実施の形態では、防水シート３は、基礎部材２の構成部材の一部であることとする。
【００７５】
換気部材２０Ｂは、上端面２６Ａに外気取入口２１を有しており、上端面２６Ａを挟んで下方向に延びる２つの側壁を有している。換気部材２０Ｂは、通常時において、第１の通気路３１、および、第２の通気路３２Ａの両方に外気を送り込む。第２の通気路３２Ａは、切欠き部１２ａ内における、防水シート３（基礎部材２）と第２の壁材１２とに挟まれる空間（隙間）を表わす。
【００７６】
ここで、本実施の形態における外壁換気構造は、上記第１および第２の負圧発生構造を採用している。
【００７７】
すなわち、第１の負圧発生構造として、図１０に示されるように、換気部材２０Ｂは、上端面２６Ａが水平に取付けられ、外気取入口２１が、第１の通気路３１のほぼ真下に配置されている。これにより、第１通気経路４１が主経路とされている。この場合においても、通常時は、外気取入口２１から取入れられた外気は、ほぼ直線状に上方に位置する第１通気経路４１に向かい、途中で、第２通気経路４２に分岐する。分岐した外気は、第２通気経路４２を経由して、切欠き部１２ａ内の第２の通気路３２Ａに送り込まれる。
【００７８】
また、第２の負圧発生構造として、第１の通気路３１の入口寸法（図１における寸法Ｌ１と同等）よりも第２の通気路３２の入口寸法の方が小さくなるように、換気部材２０Ｂが配置されている。本実施の形態において、第２の通気路３２の入口寸法は、換気部材２０Ｂにおける上端面２６Ａと、その直上に位置する外壁パネル１０Ａ（第２の壁材１２）の下端部との間隔を示している。
【００７９】
このように、建物のバルコニー部分にも負圧発生構造を採用することで、切欠き部１２ａ内への水の侵入を抑制できる。したがって、切欠き部１２ａ内の防水シート３が貼られていない箇所にまで雨水が入り込んでしまうことを避けることができる。その結果、断熱材１４などの躯体の劣化を防止することができる。
【００８０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８１】
１，２  基礎部材、３  防水シート、１０，１０Ａ  外壁パネル、１１  第１の壁材、１２  第２の壁材、１２ａ  切欠き部、１３  縦桟材、１４  断熱材、１５  パネルフレーム、２０，２０Ａ，２０Ｂ，１２０  換気部材、２１，１２１  外気取入口、２２，２２Ａ，２４，２４Ａ  側壁、２３  底面、２５  取付け面、２６，２６Ａ  上端面、３１  第１の通気路、３２，３２Ａ  第２の通気路、４１，１４１  第１通気経路、４２，１４２  第２通気経路、５０  固定金物、８０  局所風雨試験機、８１  吹き出し口。
【図１】
2014139375.tif 000003
【図２】
2014139375.tif 000004
【図３】
2014139375.tif 000005
【図４】
2014139375.tif 000006
【図５】
2014139375.tif 000007
【図６】
2014139375.tif 000008
【図７】
2014139375.tif 000009
【図８】
2014139375.tif 000010
【図９】
2014139375.tif 000011
【図１０】
2014139375.tif 000012
【図１１】
2014139375.tif 000013
【図１２】
2014139375.tif 000014